(57)【特許請求の範囲】
【請求項１】
放送データを送信する送信装置と当該放送データを受信する受信装置とを備える放送システムであって、
前記送信装置は、
本編放送番組とコマーシャルとを含む映像音声データと、当該映像音声データに基づく画面に付加情報を表示する機能を前記受信装置に実現させるコンテンツを含むデータ放送データと、を前記受信装置に送信するデータ送信手段であって、当該映像音声データに含まれるコマーシャルには、当該コマーシャルに基づく画面に対する前記付加情報の自動重畳を許可する許可型コマーシャルと、当該コマーシャルに基づく画面に対する前記付加情報の自動重畳を許可しない不許可型コマーシャルとが含まれる、データ送信手段を備え、
前記受信装置は、
チャンネルの選択を受け付けた場合に、当該選択を受け付けたチャンネルに対応する、前記データ送信手段により送信された映像音声データとデータ放送データを受信する受信手段と、
当該受信されたデータ放送データに含まれる前記コンテンツを実行することにより、当該受信された映像音声データに含まれる本編放送番組を提示する場合は、当該本編放送番組に基づく画面に前記付加情報が自動的に重畳表示されるように制御し、当該受信された映像音声データに含まれるコマーシャルを提示する場合は、当該コマーシャルが前記許可型コマーシャルであることを条件に、当該コマーシャルに基づく画面に前記付加情報が自動的に重畳表示されるように制御する制御手段と、
を備えることを特徴とする放送システム。
【請求項２】
前記受信装置において、
前記制御手段は、前記コマーシャルが前記不許可型コマーシャルである場合は、視聴者より所定の指示入力を受け付けたことを条件に、当該コマーシャルに基づく画面に前記付加情報が重畳表示されるように制御することを特徴とする請求項１に記載の放送システム。
【請求項３】
前記送信装置において、
前記コンテンツは、前記付加情報を自動的に重畳表示させる機能を前記受信装置に実現させる自動表示型のコンテンツを含み、
前記コマーシャル毎に、当該コマーシャルが許可型コマーシャルであるか不許可型コマーシャルであるかを示す重畳許可情報を格納する格納手段と、
前記自動表示型のコンテンツを本編放送番組に割り付け、前記格納手段に格納されている重畳許可情報に基づいて前記コマーシャルが許可型コマーシャルであると判定した場合は、前記自動表示型のコンテンツを当該コマーシャルに割り付ける割り付け手段を備え、
前記受信装置において、
前記制御手段は、
前記本編放送番組を提示する場合は、当該本編放送番組に割り付けられた前記自動型のコンテンツを実行することにより、当該本編放送番組に基づく画面に前記付加情報が自動的に重畳表示されるように制御し、前記コマーシャルを提示する場合は、当該コマーシャルに前記自動型のコンテンツが割り付けられていることを条件に、当該コマーシャルに基づく画面に前記付加情報が自動的に重畳表示されるように制御することを特徴とする請求項１または２に記載の放送システム。
【請求項４】
前記送信装置において、
前記コンテンツは、前記付加情報を手動で重畳表示させる機能を前記受信装置に実現させる手動表示型のコンテンツを含み、
前記割り付け手段は、前記格納手段に格納されている重畳許可情報に基づいて前記コマーシャルが不許可型コマーシャルであると判定した場合は、前記手動表示型のコンテンツを当該コマーシャルに割り付けることを特徴とする請求項３に記載の放送システム。
【請求項５】
前記送信装置において、
前記コンテンツは、前記付加情報を自動あるいは手動で重畳表示する機能を前記受信装置に実現させる双方対応型のコンテンツを含み、
前記コマーシャル毎に、当該コマーシャルが許可型コマーシャルであるか不許可型コマーシャルであるかを示す重畳許可情報を格納する格納手段と、
コマーシャルの放送開始が指示された場合に、前記格納手段に格納される当該コマーシャルの重畳許可情報に基づいて重畳表示の自動及び手動を制御するための制御情報を生成して、前記受信装置に送信する制御情報生成手段を備え、
前記受信装置において、
前記制御手段は、
前記コマーシャルを提示する場合は、前記双方対応型のコンテンツを実行することにより、前記送信された制御情報の内容を判定し、当該制御情報が自動重畳を指示する内容であることを条件に、当該コマーシャルに基づく画面に前記付加情報が自動的に重畳表示されるように制御することを特徴とする請求項１または２に記載の放送システム。
【請求項６】
前記受信装置において、
前記制御手段は、
前記コマーシャルを提示する場合は、前記双方対応型のコンテンツを実行することにより、前記送信された制御情報の内容を判定し、当該制御情報の内容が手動重畳を指示する内容である場合は、当該コマーシャルに基づく画面を表示し、視聴者より所定の指示入力を受け付けたことを条件に、当該コマーシャルに基づく画面に前記付加情報が重畳表示されるように制御することを特徴とする請求項５に記載の放送システム。
【請求項７】
放送データを受信装置へ送信する送信装置は、
本編放送番組とコマーシャルとを含む映像音声データと、当該映像音声データに基づく画面に付加情報を表示する機能を前記受信装置に実現させるコンテンツを含むデータ放送データと、を受信装置に送信するデータ送信手段であって、当該映像音声データに含まれるコマーシャルには、当該コマーシャルに基づく画面に対する前記付加情報の自動重畳を許可する許可型コマーシャルと、当該コマーシャルに基づく画面に対する前記付加情報の自動重畳を許可しない不許可型コマーシャルとが含まれる、データ送信手段を備え、
前記コンテンツは、
チャンネルの選択を受け付けることにより前記データ送信手段により送信された映像音声データとデータ放送データを受信した前記受信装置に、
当該受信された映像音声データに含まれる本編放送番組を提示する場合は、当該本編放送番組に基づく画面に前記付加情報が自動的に重畳表示されるように制御し、当該受信された映像音声データに含まれるコマーシャルを提示する場合は、当該コマーシャルが前記許可型コマーシャルであることを条件に、当該コマーシャルに基づく画面に前記付加情報が自動的に重畳表示されるように制御する機能を実現させることを特徴とする送信装置。
【請求項８】
前記コンテンツは、
前記受信装置に、前記コマーシャルが前記不許可型コマーシャルである場合は、視聴者より所定の指示入力を受け付けたことを条件に、当該コマーシャルに基づく画面に前記付加情報が重畳表示されるように制御する機能を実現させることを特徴とする請求項７に記載の送信装置。
【請求項９】
前記送信装置において、
前記コンテンツは、前記付加情報を自動的に重畳表示させる機能を前記受信装置に実現させる自動表示型のコンテンツを含み、
前記コマーシャル毎に、当該コマーシャルが許可型コマーシャルであるか不許可型コマーシャルであるかを示す重畳許可情報を格納する格納手段と、
前記自動表示型のコンテンツを本編放送番組に割り付け、前記格納手段に格納されている重畳許可情報に基づいて前記コマーシャルが許可型コマーシャルであると判定した場合は、前記自動表示型のコンテンツを当該コマーシャルに割り付ける割り付け手段を備え、
前記自動表示型コンテンツは、
前記受信装置に、前記本編放送番組を提示する場合は、当該本編放送番組に割り付けられた当該自動型のコンテンツを実行することにより、当該本編放送番組に基づく画面に前記付加情報が自動的に重畳表示されるように制御し、前記コマーシャルを提示する場合は、当該コマーシャルに前記自動型のコンテンツが割り付けられていることを条件に、当該コマーシャルに基づく画面に前記付加情報が自動的に重畳表示されるように制御する機能を実現させることを特徴とする請求項７または８に記載の送信装置。
【請求項１０】
前記送信装置において、
前記コンテンツは、前記付加情報を手動で重畳表示させる機能を前記受信装置に実現させる手動表示型のコンテンツを含み、
前記割り付け手段は、前記格納手段に格納されている重畳許可情報に基づいて前記コマーシャルが不許可型コマーシャルであると判定した場合は、前記手動表示型のコンテンツを当該コマーシャルに割り付けることを特徴とする請求項９に記載の送信装置。
【請求項１１】
前記送信装置において、
前記コンテンツは、前記付加情報を自動あるいは手動で重畳表示する機能を前記受信装置に実現させる双方対応型のコンテンツを含み、
前記コマーシャル毎に、当該コマーシャルが許可型コマーシャルであるか不許可型コマーシャルであるかを示す重畳許可情報を格納する格納手段と、
コマーシャルの放送開始が指示された場合に、前記格納手段に格納される当該コマーシャルの重畳許可情報に基づいて重畳表示の自動及び手動を制御するための制御情報を生成して、前記受信装置に送信する制御情報生成手段を備え、
前記双方対応型のコンテンツは、
前記受信装置に、前記コマーシャルを提示する場合は、当該双方対応型のコンテンツを実行することにより、前記送信された制御情報の内容を判定し、当該制御情報が自動重畳を指示する内容であることを条件に、当該コマーシャルに基づく画面に前記付加情報が自動的に重畳表示されるように制御する機能を実現させることを特徴とする請求項７または８に記載の送信装置。
【請求項１２】
前記双方対応型のコンテンツは、
前記受信装置に、前記コマーシャルを提示する場合は、当該双方対応型のコンテンツを実行することにより、前記送信された制御情報の内容を判定し、当該制御情報の内容が手動重畳を指示する内容である場合は、当該コマーシャルに基づく画面を表示し、視聴者より所定の指示入力を受け付けたことを条件に、当該コマーシャルに基づく画面に前記付加情報が重畳表示されるように制御することを特徴とする請求項１１に記載の送信装置。
【請求項１３】
放送データを送信する送信装置と当該放送データを受信する受信装置とを備える放送システムにおける放送データの制御方法であって、
前記送信装置が、
本編放送番組とコマーシャルとを含む映像音声データと、当該映像音声データに基づく画面に付加情報を表示する機能を前記受信装置に実現させるコンテンツを含むデータ放送データと、を前記受信装置に送信するデータ送信ステップであって、当該映像音声データに含まれるコマーシャルには、当該コマーシャルに基づく画面に対する前記付加情報の自動重畳を許可する許可型コマーシャルと、当該コマーシャルに基づく画面に対する前記付加情報の自動重畳を許可しない不許可型コマーシャルとが含まれる、データ送信ステップと、
前記受信装置が、
チャンネルの選択を受け付けた場合に、当該選択を受け付けたチャンネルに対応する、前記データ送信ステップにより送信された映像音声データとデータ放送データを受信する受信ステップと、
前記受信装置が、
当該受信されたデータ放送データに含まれる前記コンテンツを実行することにより、当該受信された映像音声データに含まれる本編放送番組を提示する場合は、当該本編放送番組に基づく画面に前記付加情報が自動的に重畳表示されるように制御し、当該受信された映像音声データに含まれるコマーシャルを提示する場合は、当該コマーシャルが前記許可型コマーシャルであることを条件に、当該コマーシャルに基づく画面に前記付加情報が自動的に重畳表示されるように制御する制御ステップと、
を備えることを特徴とする放送データの制御方法。                                                                                
【発明の詳細な説明】
【技術分野】
【０００１】
本発明は、放送サービスの技術に関し、特に、放送サービスにおけるデータ放送の技術に関する。
【背景技術】
【０００２】
近年、電波の有効利用を目的に、地上波によるテレビジョン放送についてデジタル放送（以下「地上デジタル放送」という。）が登場した。かかる地上デジタル放送においては、衛星放送におけるデジタル放送と同様に、データ放送が利用されている。データ放送は、視聴者の受信装置に、通常のテレビ放送番組のための映像音声情報と一緒にデータを配信し、このデータに基づいて、さまざまなサービスを提供する。
【０００３】
一方、テレビ放送番組の視聴について、視聴者がリモコンでチャンネルを頻繁に切り替えながら番組を視聴する視聴行動（以下「ザッピング」という。）が知られている。このような視聴者のザッピングに関する技術は、特許文献１に記載されている。特許文献１に記載の放送信号受信装置は、視聴者が番組内容を把握しやすくなるように、チャンネル毎に取得した各チャンネルの放送信号に対して、現在時刻に直近であり且つ特徴のあるシーンを構成するデータを抽出し、抽出した前記データによってザッピング用データをチャンネル毎に生成して記憶し、ザッピングが行われたときに、ザッピング用データを再生する。
【０００４】
また、特許文献２には、複数の種類の放送（ＢＳデジタル放送、ＣＳデジタル放送、地上デジタル放送、地上アナログ放送など）における番組視聴において、視聴者によるチャンネル番号の選択を容易にするために、チャンネル番号の選択があると、選択されたチャンネルの番組情報（ワンタッチチャンネル番号２０２、放送種類２０３、３桁チャンネル番号２０４など）を番組の映像に重畳表示することが記載されている。
【先行技術文献】
【特許文献】
【０００５】
【特許文献１】特開２００８−８５７０２号公報
【特許文献２】特許４２３５６６２号公報
【発明の概要】
【発明が解決しようとする課題】
【０００６】
しかしながら、上記特許文献１に記載の放送信号受信装置は、ザッピングが行われると、ザッピング時の放送内容を、予め生成しておいたザッピング用データに差し替えて、視聴者に提示するものであるため、ザッピング時の放送内容そのものは視聴者に提示されなくなるという問題がある。そこで、ザッピング時の放送内容を提示しつつザッピング用データも提示する方法として、ザッピング用データを付加情報としてザッピング時の放送内容に重畳表示することが考えられる。
【０００７】
しかしながら、このような付加情報の重畳表示に対して、特許文献２に記載の技術を適用した場合、選択されたチャンネルの番組の画面に付加情報が自動的に重畳表示されるところ、視聴者が選択したチャンネルで放送中の内容が、例えばＣＭ（コマーシャル）であるような場合には、ＣＭの画面に付加情報を自動的に重畳表示してしまうとＣＭの内容が視聴者に伝わりにくくなる可能性があるため、ＣＭ出稿者等にとって問題となる場合がある。また、視聴者の中には、番組の画面に重畳表示される付加情報を有用とする視聴者もいれば、付加情報が自動的に重畳表示されることを好まない視聴者も存在するところ、後者に該当する視聴者に対して、付加情報を自動的に重畳表示してしまうことは好ましくない。
【０００８】
そこで、本発明の目的は、ザッピング時の放送内容や視聴者の趣向に応じて、ザッピング時の放送内容に対する付加情報の重畳表示を適切に制御することができる放送システムを提供することにある。
【課題を解決するための手段】
【０００９】
本発明は、放送データを送信する送信装置と当該放送データを受信する受信装置とを備える放送システムであって、前記送信装置は、本編放送番組とコマーシャルとを含む映像音声データと、当該映像音声データに基づく画面に付加情報を表示する機能を前記受信装置に実現させるコンテンツを含むデータ放送データと、を前記受信装置に送信するデータ送信手段であって、当該映像音声データに含まれるコマーシャルには、当該コマーシャルに基づく画面に対する前記付加情報の自動重畳を許可する許可型コマーシャルと、当該コマーシャルに基づく画面に対する前記付加情報の自動重畳を許可しない不許可型コマーシャルとが含まれる、データ送信手段を備え、前記受信装置は、チャンネルの選択を受け付けた場合に、当該選択を受け付けたチャンネルに対応する、前記データ送信手段により送信された映像音声データとデータ放送データを受信する受信手段と、当該受信されたデータ放送データに含まれる前記コンテンツを実行することにより、当該受信された映像音声データに含まれる本編放送番組を提示する場合は、前記チャンネルの選択を受け付けたタイミングで、当該本編放送番組に基づく画面に前記付加情報が自動的に重畳表示されるように制御し、当該受信された映像音声データに含まれるコマーシャルを提示する場合は、当該コマーシャルが前記許可型コマーシャルであることを条件に、前記チャンネルの選択を受け付けたタイミングで、当該コマーシャルに基づく画面に前記付加情報が自動的に重畳表示されるように制御する制御手段と、を備える。
【００１０】
また、前記受信装置において、前記制御手段は、前記コマーシャルが前記不許可型コマーシャルである場合は、視聴者より所定の指示入力を受け付けたことを条件に、前記チャンネルの選択を受け付けたタイミングで、当該コマーシャルに基づく画面に前記付加情報が重畳表示されるように制御することを特徴とする。
【００１１】
また、前記送信装置において、前記コンテンツは、前記付加情報を自動的に重畳表示させる機能を前記受信装置に実現させる自動表示型のコンテンツを含み、前記コマーシャル毎に、当該コマーシャルが許可型コマーシャルであるか不許可型コマーシャルであるかを示す重畳許可情報を格納する格納手段と、前記自動表示型のコンテンツを本編放送番組に割り付け、前記格納手段に格納されている重畳許可情報に基づいて前記コマーシャルが許可型コマーシャルであると判定した場合は、前記自動表示型のコンテンツを当該コマーシャルに割り付ける割り付け手段を備え、前記受信装置において、前記制御手段は、前記本編放送番組を提示する場合は、当該本編放送番組に割り付けられた前記自動型のコンテンツを実行することにより、当該本編放送番組に基づく画面に前記付加情報が自動的に重畳表示されるように制御し、前記コマーシャルを提示する場合は、当該コマーシャルに前記自動型のコンテンツが割り付けられていることを条件に、当該コマーシャルに基づく画面に前記付加情報が自動的に重畳表示されるように制御することを特徴とする。
【００１２】
また、前記送信装置において、前記コンテンツは、前記付加情報を手動で重畳表示させる機能を前記受信装置に実現させる手動表示型のコンテンツを含み、前記割り付け手段は、前記格納手段に格納されている重畳許可情報に基づいて前記コマーシャルが不許可型コマーシャルであると判定した場合は、前記手動表示型のコンテンツを当該コマーシャルに割り付けることを特徴とする
【００１３】
また、前記送信装置において、前記コンテンツは、前記付加情報を自動あるいは手動で重畳表示する機能を前記受信装置に実現させる双方対応型のコンテンツを含み、前記コマーシャル毎に、当該コマーシャルが許可型コマーシャルであるか不許可型コマーシャルであるかを示す重畳許可情報を格納する格納手段と、コマーシャルの放送開始が指示された場合に、前記格納手段に格納される当該コマーシャルの重畳許可情報に基づいて重畳表示の自動及び手動を制御するための制御情報を生成して、前記受信装置に送信する制御情報生成手段を備え、前記受信装置において、前記制御手段は、前記コマーシャルを提示する場合は、前記双方対応型のコンテンツを実行することにより、前記送信された制御情報の内容を判定し、当該制御情報が自動重畳を指示する内容であることを条件に、当該コマーシャルに基づく画面に前記付加情報が自動的に重畳表示されるように制御することを特徴とする。
【００１４】
また、前記受信装置において、前記制御手段は、前記コマーシャルを提示する場合は、前記双方対応型のコンテンツを実行することにより、前記送信された制御情報の内容を判定し、当該制御情報の内容が手動重畳を指示する内容である場合は、当該コマーシャルに基づく画面を表示し、視聴者より所定の指示入力を受け付けたことを条件に、当該コマーシャルに基づく画面に前記付加情報が重畳表示されるように制御することを特徴とする。
【００１５】
また、放送データを送信する送信装置は、本編放送番組とコマーシャルとを含む映像音声データと、当該映像音声データに基づく画面に付加情報を表示する機能を前記受信装置に実現させるコンテンツを含むデータ放送データと、を受信装置に送信するデータ送信手段であって、当該映像音声データに含まれるコマーシャルには、当該コマーシャルに基づく画面に対する前記付加情報の自動重畳を許可する許可型コマーシャルと、当該コマーシャルに基づく画面に対する前記付加情報の自動重畳を許可しない不許可型コマーシャルとが含まれる、データ送信手段を備え、前記コンテンツは、チャンネルの選択を受け付けることにより前記データ送信手段により送信された映像音声データとデータ放送データを受信した前記受信装置に、当該受信されたデータ放送データに含まれる当該コンテンツを実行することにより、当該受信された映像音声データに含まれる本編放送番組を提示する場合は、前記チャンネルの選択を受け付けたタイミングで、当該本編放送番組に基づく画面に前記付加情報が自動的に重畳表示されるように制御し、当該受信された映像音声データに含まれるコマーシャルを提示する場合は、当該コマーシャルが前記許可型コマーシャルであることを条件に、前記チャンネルの選択を受け付けたタイミングで、当該コマーシャルに基づく画面に前記付加情報が自動的に重畳表示されるように制御する機能を実現させることを特徴とする。
【００１６】
また、本発明は、放送データを送信する送信装置としても成立する。送信装置は、本編放送番組とコマーシャルとを含む映像音声データと、当該映像音声データに基づく画面に付加情報を表示する機能を前記受信装置に実現させるコンテンツを含むデータ放送データと、を受信装置に送信するデータ送信手段であって、当該映像音声データに含まれるコマーシャルには、当該コマーシャルに基づく画面に対する前記付加情報の自動重畳を許可する許可型コマーシャルと、当該コマーシャルに基づく画面に対する前記付加情報の自動重畳を許可しない不許可型コマーシャルとが含まれる、データ送信手段を備え、前記コンテンツは、チャンネルの選択を受け付けることにより前記データ送信手段により送信された映像音声データとデータ放送データを受信した前記受信装置に、当該受信されたデータ放送データに含まれる当該コンテンツを実行することにより、当該受信された映像音声データに含まれる本編放送番組を提示する場合は、前記チャンネルの選択を受け付けたタイミングで、当該本編放送番組に基づく画面に前記付加情報が自動的に重畳表示されるように制御し、当該受信された映像音声データに含まれるコマーシャルを提示する場合は、当該コマーシャルが前記許可型コマーシャルであることを条件に、前記チャンネルの選択を受け付けたタイミングで、当該コマーシャルに基づく画面に前記付加情報が自動的に重畳表示されるように制御する機能を実現させる。
【００１７】
また、本発明は、受信装置としても成立する。送信装置から送信される放送データを受信する受信装置であって、前記送信装置は、本編放送番組とコマーシャルとを含む映像音声データと、当該映像音声データに基づく画面に付加情報を表示する機能を前記受信装置に実現させるコンテンツを含むデータ放送データと、を前記受信装置に送信するデータ送信手段であって、当該映像音声データに含まれるコマーシャルには、当該コマーシャルに基づく画面に対する前記付加情報の自動重畳を許可する許可型コマーシャルと、当該コマーシャルに基づく画面に対する前記付加情報の自動重畳を許可しない不許可型コマーシャルとが含まれる、データ送信手段を備え、チャンネルの選択を受け付けた場合に、当該選択を受け付けたチャンネルに対応する、前記データ送信手段により送信された映像音声データとデータ放送データを受信する受信手段と、当該受信されたデータ放送データに含まれる前記コンテンツを実行することにより、当該受信された映像音声データに含まれる本編放送番組を提示する場合は、前記チャンネルの選択を受け付けたタイミングで、当該本編放送番組に基づく画面に前記付加情報が自動的に重畳表示されるように制御し、当該受信された映像音声データに含まれるコマーシャルを提示する場合は、当該コマーシャルが前記許可型コマーシャルであることを条件に、前記チャンネルの選択を受け付けたタイミングで、当該コマーシャルに基づく画面に前記付加情報が自動的に重畳表示されるように制御する制御手段と、を備える。
【００１８】
また、本発明は、方法の発明としても成立する。放送データを送信する送信装置と当該放送データを受信する受信装置とを備える放送システムにおける放送データの制御方法であって、前記送信装置は、本編放送番組とコマーシャルとを含む映像音声データと、当該映像音声データに基づく画面に付加情報を表示する機能を前記受信装置に実現させるコンテンツを含むデータ放送データと、を前記受信装置に送信するデータ送信ステップであって、当該映像音声データに含まれるコマーシャルには、当該コマーシャルに基づく画面に対する前記付加情報の自動重畳を許可する許可型コマーシャルと、当該コマーシャルに基づく画面に対する前記付加情報の自動重畳を許可しない不許可型コマーシャルとが含まれる、データ送信ステップを備え、前記受信装置は、チャンネルの選択を受け付けた場合に、当該選択を受け付けたチャンネルに対応する、前記データ送信ステップにより送信された映像音声データとデータ放送データを受信する受信ステップと、当該受信されたデータ放送データに含まれる前記コンテンツを実行することにより、当該受信された映像音声データに含まれる本編放送番組を提示する場合は、前記チャンネルの選択を受け付けたタイミングで、当該本編放送番組に基づく画面に前記付加情報が自動的に重畳表示されるように制御し、当該受信された映像音声データに含まれるコマーシャルを提示する場合は、当該コマーシャルが前記許可型コマーシャルであることを条件に、前記チャンネルの選択を受け付けたタイミングで、当該コマーシャルに基づく画面に前記付加情報が自動的に重畳表示されるように制御する制御ステップと、を備える。
【００１９】
また、本発明は、放送データを受信装置へ送信する送信装置であり、映像音声データと、前記受信装置に所定の機能を実現させるコンテンツを含むデータ放送データと、を受信装置に送信するデータ送信手段を備える。前記コンテンツは、チャンネルの選択を受け付けることにより前記データ送信手段により送信された映像音声データとデータ放送データを受信した前記受信装置に、視聴者からの入力に基づいて、前記映像音声データに付加情報を重畳表示する際の表示形態を設定する機能と、前記設定手段により自動表示形態が設定されている場合は、前記チャンネルの選択を受け付けたタイミングで、前記映像音声データに基づく画面に前記付加情報が自動的に重畳表示されるように制御し、前記設定手段により手動表示形態が設定されている場合は、視聴者より所定の指示入力を受け付けたことを条件に、当該映像音声データに基づく画面に前記付加情報が重畳表示されるように制御する機能を実現させることを特徴とする。
【発明の効果】
【００２０】
本発明によれば、ザッピング時の放送内容に応じて、ザッピング時の放送内容に対する付加情報の重畳表示を適切に制御することができる放送システムを提供することが可能になる。
【図面の簡単な説明】
【００２１】
【図１】第１の実施形態に係るデジタル放送システムの概要を説明するための図である。
【図２】第１の実施形態に係る送信装置１の構成を示すブロックダイアグラムである。
【図３Ａ】番組情報格納装置のデータ構成の一例を示す図である。
【図３Ｂ】ＣＭ情報格納装置のデータ構成の一例を示す図である。
【図４】第１の実施形態に係る受信システムの構成例を示す図である。
【図５】第１の実施形態に係る受信装置２のハードウェア構成を示す概略図である。
【図６】第１の実施形態に係る重畳表示処理を説明するためのフローチャートである。
【図７Ａ】第１の実施形態に係るストリームを説明する図である。
【図７Ｂ】第２の実施形態に係るストリームを説明する図である。
【図８】第１の実施形態に係る画面遷移の一例を示す図である。
【図９】第２の実施形態に係る送信装置１Ａの構成を示すブロックダイアグラムである。
【図１０】第２の実施形態に係る重畳表示処理を説明するためのフローチャートである。
【図１１】第２の実施形態に係る重畳表示処理を説明するためのフローチャートである。
【図１２】第２の実施形態に係る画面遷移の一例を示す図である。
【発明を実施するための形態】
【００２２】
以下、本発明の実施の形態について図面を参照しつつ詳細に説明する。なお、同一の要素には同一の符号を付し、重複する説明を省略する。
【００２３】
ここで、本実施形態では、ザッピング時の放送内容に応じて、ザッピングによって選択されたチャンネルの画面（以下、「ザッピング画面」）に対する付加情報の重畳表示を適切に制御するための構成として、映像音声データに含まれるコマーシャルを、当該コマーシャルに基づく画面に対する付加情報の自動重畳を許可する許可型コマーシャルと、当該コマーシャルに基づく画面に対する付加情報の自動重畳を許可しない不許可型コマーシャルとに分類している。そして、対象となるコマーシャルが、許可型であるのか不許可型であるのかは、例えば、ＣＭ毎に、付加情報の重畳表示の可否を示す情報（以下、「重畳許可情報」という。）を予め設定することによって判断することができる。そして、本実施形態では、この重畳許可情報に基づいて、対象となるＣＭに付加情報を自動的に重畳表示するか否かを判定する。重畳許可情報にて重畳表示が許可されている場合は、ＣＭに対して付加情報を自動的に重畳表示する。一方、重畳許可情報にて重畳表示が許可されていない場合は、付加情報を自動的に重畳表示しない。後者の場合、そのまま重畳表示を行わないように構成してもよいし、所定条件で重畳表示を行うように構成することができる。本実施形態では、視聴者からの所定の要求があった場合は、付加情報を重畳表示することとしている。
【００２４】
また、放送事業者は、複数のチャンネルを有している場合があるが、リモコンのチャンネルボタンへの割り付けは、各放送事業者に一つのチャンネルボタンしか認められない場合が多いため、例えば３つのチャンネルを有していても、残り２つのチャンネルについては、リモコンのチャンネルボタンへ割り付けることができない。この場合、視聴者は、「３桁入力」ボタンや「チャンネル番号入力」ボタンなどを選択して、所望のチャンネル番号を手入力しなければならないところ、視聴者の操作性や便宜性に欠けるという問題や、視聴者がチャンネル番号を覚えていない場合は、そのチャンネルを選局することができないという問題がある。そこで、本実施形態では、例えば、３つのチャンネルにて放送を実施している場合、チャンネルボタン以外のボタンとして、例えば、リモコンの青、赤、緑の色ボタンに、各チャンネルへ遷移する機能を割り付けるとともに、ザッピングがあった場合、これら色ボタンを各チャンネルと対応付けて示すメニュー（以下、「チャンネル案内メニュー」という。）を、付加情報としてザッピング画面に重畳表示することとしている。これによれば、視聴者は、色ボタンの押下により所望のチャンネルを選択することができるので、視聴者の操作性や便宜性が向上する。また、放送事業者は、ザッピング中の視聴者に、放送事業者が提供する他のチャンネルへ誘導するための動機づけを積極的に与えることができる。
【００２５】
［第１の実施形態］
以下、第１の実施形態では、ＣＭの放送時間が予め確定している場合などに適切なザッピング画面に対する付加情報の重畳表示処理について説明する。なお、ザッピング画面に重畳表示される付加情報は、チャンネル案内メニューである場合について説明するが、上述のとおり付加情報はこれに限られない。
【００２６】
［デジタル放送システムの概要図］
図１は、第１の実施形態に係るデジタル放送システムの概要を説明するための図である。デジタル放送システム１００は、放送局側に配備される送信装置１から、送信機１ａ、及び放送衛星１ｂを含む送信システムと、視聴者側に配備される受信装置（受信システム）２を含んで構成される。デジタル放送システム１００は、放送局の送信装置１、テレビ放送番組やデータ放送番組を構成するデジタルデータ（コンテンツデータ）が、送信機１ａや放送衛星１ｂに送出され、図示しない中継局を介して、各視聴者（ユーザ）の受信装置２に伝送可能なように構成されている。なお、第１の実施形態では、ＭＰＥＧ２−ＴＳを利用して、各種デジタルデータがストリームとして伝送されるものとする。
【００２７】
受信装置２は、放送電波として搬送されるデジタルデータを受信し、復調し、放送番組として視聴者に提供する機能を備え、典型的には、テレビジョン受信機とともに用いられるセットトップボックス（Set-Top TV Box）が相当するが、セットトップボックスの機能を内蔵した一体型のテレビジョン受信機であってもよい。
【００２８】
なお、図１では１つの放送局からストリームを配信する場合について説明するが、全国各地に設置された複数の放送局からそれぞれの地域にストリームを配信する場合も第１の実施形態を適用することができる。全国各地に設置された放送局には、ネットワーク系列におけるキー局やネット局、また、ケーブルテレビジョン放送（CATV）などが該当する。また、放送局側には、所定の通信回線（有線、無線を問わない）を介して受信装置２と通信可能なサーバコンピュータ３を配備してもよい。
【００２９】
［放送局側の送信システムの構成図］
図２は、第１の実施形態に係る送信装置１の構成を示すブロックダイアグラムである。映像音声データ格納装置２０６は、テレビ放送用のデジタル形式のビデオデータ（映像データ）およびオーディオデータ（音声データ）を格納している。映像データや音声データは、例えば、図示しないビデオカメラやビデオサーバなどによって生成される。
【００３０】
映像音声管理装置２０１は、放送管理装置２０３の送出指示に従って、映像音声データ格納装置２０６から映像データや音声データを取得して、ビデオ／オーディオデータエンコーダ（以下「映像音声データエンコーダ」という。）２０４に出力する。ここでは、ビデオデータおよびオーディオデータを、特にこだわらない限り、１つのデータとして扱うものとし、これを映像音声データというものとする。映像音声データには、テレビ放送番組を構成する本編放送番組とコマーシャルを含む。そして、コマーシャルは、当該コマーシャルに基づく画面に対する付加情報の自動重畳を許可する許可型コマーシャルと、当該コマーシャルに基づく画面に対する付加情報の自動重畳を許可しない不許可型コマーシャルとに分類される。
【００３１】
データ放送コンテンツ格納装置２０８は、データ放送用のコンテンツデータ（以下「データ放送データ」という。）を格納している。データ放送データは、テキストデータ、イメージデータ（静止画／動画データ）、オーディオデータ、スクリプト（制御プログラム）および表示オブジェクトデータなどにより構成される。データ放送データは、典型的にはＢＭＬによって記述される。したがって、データ放送データは、受信装置を制御して所定の機能を実現させるという意味においてプログラムと同義である。また、動画データは、ビデオデータと同義であるが、テレビジョン放送におけるビデオデータと区別する程度の意味で用いている。データ放送データは、例えば、図示しないオーサリング端末装置を用いて映像音声データやその他のデジタルデータに基づいて作成される。なお、本実施形態では、ザッピング画面に付加情報を自動的に重畳表示する機能を受信装置２に実現させるためのコンテンツ（以下、「自動表示型重畳表示機能付きコンテンツ」又は「自動表示型コンテンツ」という。）と、ザッピング画面に付加情報を手動で重畳表示する機能を受信装置２に実現させるためのコンテンツ（以下、「手動表示型重畳表示機能付きコンテンツ」又は「手動表示型コンテンツ」という。）を格納している。
【００３２】
番組情報格納装置２０７は、図３（Ａ）に示すように、テレビ放送番組の本編放送番組（メイン番組）に関連する番組情報を格納し、例えば、番組毎に、番組ＩＤ、番組名、放送時間（開始時刻及び終了時刻）、出演者などを対応づけて格納している。
【００３３】
ＣＭ情報格納装置２０９は、図３（Ｂ）に示すように、テレビ放送番組のＣＭに関連するＣＭ情報を格納し、例えば、ＣＭ毎に、ＣＭの識別情報（ＣＭ−ＩＤ）、放送時間（開始時刻及び終了時刻）、重畳許可情報などを対応づけて格納している。
【００３４】
データ放送管理装置２０２は、放送管理装置２０３の送出指示に従って、データ放送コンテンツ格納装置２０８に格納されているデータ放送データを、データ放送データエンコーダ２０５に出力する。
【００３５】
また、データ放送管理装置２０２は、番組情報格納装置２０７から放送時間を含む番組情報を取得し、ＣＭ情報格納装置２０９から、当該放送時間に合致するＣＭを選択する。そして、当該選択されたＣＭに設定されている重畳許可情報を参照し、参照した重畳許可情報の内容に基づいて、自動表示型コンテンツか手動表示型コンテンツを選択し、該当するＣＭに割り付ける。なお、本編放送番組には、自動表示型コンテンツを割り付ける。
【００３６】
放送管理装置２０３は、番組編成に関する情報に従って、映像音声管理装置２０１およびデータ放送管理装置２０２に対して映像音声データおよびデータ放送データの送出指示を行う。放送管理装置２０３はまた、番組提供サービスの運行に必要な各種情報を制御情報送出装置２１０に送出する。
【００３７】
映像音声データエンコーダ２０４は、放送管理装置２０３の制御により映像音声管理装置２０１から送出される映像音声データをＭＰＥＧ２ビデオおよびＭＰＥＧ２オーディオに従って圧縮符号化し、映像音声ストリームを生成する。映像音声データエンコーダ２０４は、生成した映像音声ストリームをＰＥＳ形式で多重化装置２１１に送出する機能を有する。
【００３８】
データ放送データエンコーダ２０５は、放送管理装置２０３の制御によりデータ放送管理装置２０２から送出されるデータ放送データを圧縮符号化し、データ放送ストリームを生成する。データ放送データエンコーダ２０５は、生成したデータ放送データをセクション形式で多重化装置２１１に送出する。
【００３９】
制御情報送出装置２１０は、放送管理装置２０３から送出される各種情報に基づく放送用制御情報を生成する機能を有する。放送用制御情報は、例えば、ＰＳＩ／ＳＩ（Program Specific Information/Service Information）として規定される。放送管理装置２０３の制御により制御情報送出装置２１０は、放送用制御情報を多重化装置２１１に送出する。
【００４０】
多重化装置２１１は、ＰＥＳ形式の映像音声ストリームおよびデータ放送ストリーム並びにセクション形式の制御情報を多重化して、ＭＰＥＧ２−トランスポートストリーム（ＭＰＥＧ２−ＴＳ；以下「多重化ストリーム」という。）を生成する機能を有する。多重化装置２１１は、多重化ストリームを生成する際に、さらに時刻管理情報などを必要に応じて重畳するとともに、秘匿すべき情報に対してスクランブルを行う。多重化装置２１１は、生成した多重化ストリームをデジタル変調装置２１２に送出する。
【００４１】
デジタル変調装置２１２は、多重化ストリームを所定の変調方式でデジタル変調し、送信装置２１３にこれを送出する機能を有する。所定の変調方式としては、例えば、ＯＦＤＭ方式や８ＰＳＫ方式などが挙げられる。送信装置２１３は、デジタル変調された多重化ストリームを放送波信号として伝送する。
【００４２】
［視聴者側の受信システムの構成図］
図４は、第１の実施形態に係る受信装置の構成例を示す図である。受信装置２は、図１に示した放送局の送信装置１から伝送される放送電波（ストリーム）を受信するアンテナ４０１と、その受信したストリームを選局し、復号するセットトップボックス４０２と、復号された映像音声データやデータ放送データに基づく画像や音声を出力する出力装置４０３と、ユーザがセットトップボックス４０２または出力装置４０３に対して操作を行うリモートコントローラ４０４と、例えば電話回線等の通信回線を介して外部のサーバとの間で通信を行うためのモデム４０５から構成される。
【００４３】
なお、図４に示す受信装置２は、セットトップボックス４０２と出力装置４０３とモデム４０５をそれぞれ別々に構成したが、適宜、一体型の受信装置２として構成することができる。出力装置４０３は、典型的にはテレビジョン受信機が相当し、外部から入力端子を介して入力される映像音声信号に基づいて映像および音声を出力する。リモートコントローラ４０４は、例えば、電源ＯＮ／ＯＦＦボタン、チャンネル選局ボタン、メニュー選択ボタン（矢印、決定ボタン、青赤緑黄の色ボタン、データ連動用のｄボタンなどを含む）、テンキーボタン等が設けられ、セットトップボックス４０２の操作受信部はユーザが押下したボタンに対応する赤外線信号を受信する。また、リモートコントローラ４０４の代わりとして、機器のフロント部等に操作パネルを構成するようにしてもよい。
【００４４】
［受信装置の構成図］
図５は、第１の実施形態に係る受信装置２のハードウェア構成を示す概略図である。受信装置２は、典型的には、受信機能、蓄積機能、画面重畳機能および提示機能（表示機能）を備える。
【００４５】
同図において、コントローラ５０１は、ＣＰＵ５０１１、ＲＯＭ５０１２、ＲＡＭ５０１３およびフラッシュメモリ５０１４を備え、これらはバスを介して相互に接続されている。このコントローラ５０１は、所定の制御プログラムを実行することにより受信装置２全体の動作を司るとともに、他のハードウェア構成要素と相まって各種の機能を実現する。また、コントローラ５０１は、データ放送データとして送られてきた制御スクリプトを解釈し、この解釈した結果に基づいて処理を行う。第１の実施形態では、コントローラ５０１は、データ放送データに含まれる自動表示型あるいは手動表示型のコンテンツ（制御スクリプトを含む）を解釈し、視聴者よりザッピングがあった場合に、チャンネル案内メニューがザッピング画面に自動あるいは手動で重畳表示されるように制御する。
【００４６】
チューナ５０２は、図示しないアンテナから供給される放送波信号の中から特定のトランスポンダに対応する放送波信号を選択し、デジタル復調部５０３に送出する。デジタル復調部５０３は、この放送波信号を所定の復調方式で復調し、所定のエラー訂正処理を行った後、ＴＳデコーダ５０４に送出する。なお、デジタル復調部５０３から送出される信号は、上述した多重化ストリームに対応するものである。ＴＳデコーダ５０４は、送出された多重化ストリームを個別のストリームに分離し、映像音声ストリームであればＭＥＰＧ−ＡＶデコーダ５０５に送出し、データ放送ストリームであればコントローラ５０１へ送出する。これらのストリームは一連のＴＳパケットと見ることができる。ＭＥＰＧ−ＡＶデコーダ５０５は、送出された映像音声ストリームをＭＰＥＧ２ビデオおよびＭＰＥＧ２オーディオに従って複号し、出力装置３０３に出力する。コントローラ５０１は、送出されたデータ放送ストリームを複号する。
【００４７】
サウンド制御部５０６は、コントローラ５０１の制御の下、各種サウンドデータに基づいて付加音を生成する。生成された付加音は、ＭＰＥＧ２−ＡＶデコーダ５０５から送られる音声データと重畳（合成）され、出力装置（スピーカ）から出力される。
【００４８】
画面重畳制御部５０７は、コントローラ５０１の制御の下、データ放送データに基づくテキストデータやイメージデータを生成し、生成されたこれらのデータを、ＭＰＥＧ２−ＡＶデコーダ５０５から送られる映像データと重畳（合成）する。重畳後のデータは、出力装置３０３に出力される。
【００４９】
外部記録装置Ｉ／Ｆ５０８は、図示しない外部記録装置に接続するためのインターフェースである。外部記録装置は、典型的には、ハードディスク装置やＤＶＤ−ＲＷ（ＤＶＤ−ＲＡＭ）装置、固体メモリ（例えば、「スマートメディア」や「メモリスティック」）などである。また、通信Ｉ／Ｆ５１０は、通信回線を介して接続される外部のサーバコンピュータ３との間で、所定の通信プロトコルに従った双方向通信機能を提供する。
【００５０】
ＩＣカードＩ／Ｆ５０９は、所定の情報を記憶したＩＣカードに接続するためのインターフェースである。ＩＣカードには、例えば、カード毎に固有の番号（カード番号）や、視聴者の個人情報やスクランブル解除鍵等が記憶される。
【００５１】
［送信装置及び受信装置の動作］
図６は、第１の実施形態にかかる付加情報の重畳表示処理を説明するためのフローチャートである。
【００５２】
まず、放送局側の送信装置１の動作について説明する。送信装置１のデータ放送管理装置２０２は、番組情報格納装置２０７から、対象となる放送番組の番組情報（放送時間を含む）を取得する（Ｓ６０１）。
【００５３】
次に、データ放送管理装置２０２は、ＣＭについて処理する場合は（Ｓ６０２；ＹＥＳ）、取得した番組情報に含まれる放送時間に合致するＣＭをＣＭ情報格納装置２０９から選択し、選択したＣＭの重畳許可情報を取得する（Ｓ６０３）。重畳許可情報には、画面重畳の許可／不許可を示す値が設定されている。
【００５４】
データ放送管理装置２０２は、取得した重畳許可情報に基づいて、当該ＣＭに対する画面重畳が許可されているか否かを判定し（Ｓ６０４）、許可と判定した場合は（Ｓ６０４；ＹＥＳ）、データ放送コンテンツ格納装置２０８から、自動表示型の重畳表示機能付きコンテンツを取得する（Ｓ６０５）。一方、不許可と判定した場合は（Ｓ６０４；ＮＯ）、データ放送コンテンツ格納部２０８から、手動表示型の重畳表示機能付きコンテンツを取得する（Ｓ６０６）。データ放送管理装置２０２は、取得した重畳表示機能付きコンテンツを、対象となるＣＭに割り付ける（Ｓ６０７）。なお、ＣＭに割り付けるとは、受信装置において、ＣＭの表示中に該当する重畳表示機能付きコンテンツが実行されるように、ＣＭと重畳表示機能付きコンテンツとを関連づけることであり、この割り付けは、従来技術を用いて実現することができるが、例えば、ＣＭの放映時刻とコンテンツの再生時刻を一致させる方法や、ＣＭの識別情報にコンテンツの識別情報を対応づける方法などが考えられる。ＣＭが複数ある場合は、全てのＣＭについて、ＳＴＥＰ６０３〜ＳＴＥＰ６０７のコンテンツ割り付け処理を実行する。
【００５５】
なお、ＳＴＥＰ６０２においてＣＭの処理でない場合は（Ｓ６０２；ＮＯ）、データ放送管理装置２０２は、データ放送コンテンツ格納部２０８から、自動表示型の重畳表示機能付きコンテンツを取得し（Ｓ６０８）、対象となる本編放送番組に割り付ける（Ｓ６０９）。
【００５６】
コンテンツ割り付け処理が終了すると、番組編成や割り付けに従って、映像音声データ（本篇放送番組／ＣＭ）とデータ放送データ（重畳表示機能付きコンテンツ）が、それぞれ映像音声管理装置２０１及びデータ放送管理装置２０２から送出され、多重化装置２１１において多重化された後（多重化ストリーム）は、放送波信号として送信装置２１３から送出される（Ｓ６１０）。
【００５７】
次に、視聴者側の受信装置２の処理について説明する。受信装置２のチューナ５０２は、例えば、リモートコントローラ４０４を介して視聴者からチャンネルの選択を受け付けると（Ｓ６１１；ＹＥＳ）、選択されたチャンネルの放送波信号（トランスポンダ）を選択して受信する（Ｓ６１２）。選択受信された放送波信号は、復調部５０３によって多重化ストリームに復調された後、ＴＳデコーダ５０４において個別ストリームに分離される（Ｓ６１２）。
【００５８】
ＭＥＰＧ−ＡＶデコーダ５０５は、分離された映像音声ストリームをＭＰＥＧ２ビデオおよびＭＰＥＧ２オーディオに従って複号する（Ｓ６１３）。
【００５９】
コントローラ５０１は、分離されたデータ放送ストリームを複号し、複号して得られる、ＣＭに割り付けられた重畳表示機能付きコンテンツを解釈実行する（Ｓ６１４）。
【００６０】
コントローラ５０１は、重畳表示機能付きコンテンツが自動表示型である場合（Ｓ６１５；ＹＥＳ）は、画面重畳制御部５０７を制御して、映像音声信号（本編放送番組あるいはＣＭ）に、付加情報（番組案内メニュー）を重畳し、出力装置に出力する（Ｓ６１６）。
【００６１】
一方、重畳表示機能付きコンテンツが自動表示型ではない場合（Ｓ６１５；ＮＯ）は、コントローラ５０１は、映像音声信号（ＣＭ）をそのまま出力装置に出力するよう制御する（Ｓ６１７）。そして、映像音声信号（ＣＭ）を表示中に、視聴者がリモートコントローラ４０４の所定のボタン（例えば、データ連動機能が割り付けられているｄボタン）を押下することにより、付加情報の表示要求を入力した場合（Ｓ６１８；ＹＥＳ）、画面重畳制御部５０７を制御して映像音声信号（ＣＭ）に付加情報（番組案内情報）を重畳し、出力装置に出力する（Ｓ６１９）。なお、重畳表示された付加情報は、所定時間経過後、あるいは、視聴者がリモートコントローラ４０４の所定のボタン（例えば、データ連動機能が割り付けられているｄボタン）を押下することにより、付加情報の表示終了を入力した場合などに、ザッピング画面から削除される。
【００６２】
図７（Ａ）は、第１実施形態に係るストリームの一例を説明する図である。映像音声ストリームは、放送番組（本編放送番組やＣＭ）が伝送されている。データ放送ストリームでは、放送番組に連動して提供されるデータであり、自動表示型あるいは手動表示型コンテンツが含まれる。同図（Ａ）によれば、本編放送番組には自動表示型が割りつけられ、ＣＭには自動表示型あるいは手動表示型が割り付けられていることがわかる。なお、ストリームに含まれるデータは、図７（Ａ）に示すものに限られず、放送番組と独立して提供されるデータ放送番組や、放送予定の番組名や放送日時等の番組に関する情報（番組表）なども含まれる。
【００６３】
図８は、ザッピング画面に番組案内メニューが重畳表示される場合の画面の一例を示す図である。同図では、ＸＸＸチャンネルの放送番組に対して視聴者が、ザッピングをして１９１チャンネルを選択した場合に、１９１チャンネルではＣＭ１あるいはＣＭ２が放送されている状態を示している。ザッピング１の場合、ＣＭ１は重畳表示が許可されているのでザッピング画面には番組案内メニュー７０１が重畳表示されている。一方、ザッピング２の場合、ＣＭ２は重畳表示が許可されていないので、ザッピング画面はＣＭの画像のみであり、視聴者が番組案内メニューの指示を入力した場合に、番組案内メニュー７０１が重畳表示される。なお、番組案内メニュー７０１中のオブジェクト７０２は、選択中のチャンネルを示している。視聴者が、他のチャンネルを視聴するために、リモートコントローラ４０４上の指定された色のボタンを押下すると、コントローラ５０１は、当該色に対応付けられたチャンネルに対応する放送波信号（トランスポンダ）を選択して、表示する。
【００６４】
以上、第１の実施形態によれば、本編放送番組に対しては付加情報を自動的に重畳表示する一方、ＣＭに対しては、ＣＭ毎に設定された重畳画像許可情報に基づいて、当該ＣＭに対する付加情報の自動的重畳表示を制御するようにしているので、ザッピング時の放送内容に応じて、ザッピング時の放送内容に対する付加情報の重畳表示を適切に制御することができるようになる。また、ＣＭ出稿者等の許可なく付加情報を自動的に重畳表示することを回避することができる。
【００６５】
さらにまた、チャンネル案内メニューを付加情報として重畳表示する場合は、放送事業者が提供する他のチャンネルへ誘導するための動機づけを積極的に与えることができる。この場合、視聴者は、色ボタンを押下するだけで、所望のチャンネルを選択することができるようになるので、視聴者の操作性や便宜性が格段に向上するとともに、放送事業者は、自身が保有する複数チャンネルの存在を、視聴者にアピールし、周知させることも可能になる。
【００６６】
［第２の実施形態］
以下、第２の実施形態では、ＣＭの放送時間が予め確定していない場合に適切なザッピング画面に対する付加情報の重畳表示処理について説明する。また、第２の実施形態では、ザッピング画面に重畳表示される付加情報は、選択された番組の内容に関連する番組案内である場合について説明するが、上述のとおり付加情報はこれに限られない。なお、ＣＭの放送時間が予め確定していない場合とは、野球のナイター中継のように、ＣＭの放送時間がナイターの実施状況に応じて決定されるような場合が該当する。以下、第２の実施形態におけるデジタル放送システムの構成中、第１の実施形態において説明した構成と同じ構成については、説明を省略する。
【００６７】
［放送局側の送信システムの構成図］
図９は、第２の実施形態に係る送信装置の構成を示すブロックダイアグラムである。第２の実施形態に係る送信装置１Ａが、第２の実施形態に係る送信装置１と異なる主な箇所は、第２の実施形態に係る送信装置１Ａでは、制御情報生成装置９１４を新たに備える点である。また、第２の実施形態では、放送管理装置９０３は、ＣＭの放送開始及び終了に関する情報（ＣＭ放送情報）を制御情報生成装置９１４に通知する機能を備える。データ放送管理装置８０２は、自動表示及び手動表示の両方に対応可能な画面重畳機能付きコンテンツを送出する機能を備える。
【００６８】
制御情報生成装置９１４は、放送管理装置９０３からＣＭ放送開始が通知されると、当該ＣＭの重畳許可情報をＣＭ情報格納装置９０９から取得する機能と、当該取得した重畳許可情報の内容に基づいて、受信装置２における画面重畳機能における自動表示機能と手動表示機能を制御するための制御情報を生成する。
【００６９】
なお、視聴者側の受信装置の構成は、第１の実施形態に係る受信装置の構成とほぼ同様であるので、説明を省略する。
【００７０】
［送信装置及び受信装置の動作］
図１０及び図１１は、第２の実施形態にかかるザッピング画面への付加情報の重畳表示処理を説明するためのフローチャートである。
【００７１】
まず、放送局側の送信装置１Ａの動作について説明する。データ放送管理装置９０２は、データ放送コンテンツ格納装置９０８から、対象本編放送番組に対応する、自動及び手動の双方対応型の重畳表示機能付きコンテンツ（自動表示機能及び手動表示機能を有するコンテンツ）を取得し、対象本編放送番組の放送中、定期的に送出する（Ｓ１００１）。
【００７２】
次に、放送管理装置９０３は、本編放送番組中にＣＭの放送開始指示が入力されると（Ｓ１００２；ＹＥＳ）、放送するＣＭを識別するＣＭ識別情報と、ＣＭの放送開始情報及び放送終了情報を含むＣＭ放送情報を制御情報生成装置９１４へ送出する（Ｓ１００３）。制御情報生成装置９１４は、放送管理装置９０３から送出されたＣＭ識別情報、ＣＭの放送開始情報及び放送終了情報を受け付けると、ＣＭ情報格納部９０９から、ＣＭ識別情報に対応するＣＭを選択し、この選択したＣＭの重畳許可情報を取得する（Ｓ１００３）。
【００７３】
制御情報生成装置９１４は、取得した重畳許可情報に基づいて、当該ＣＭが画面重畳を許可するか否かを判定し（Ｓ１００４）、許可する場合は（Ｓ１００４；ＹＥＳ）、付加情報の自動表示を指示する内容の制御情報を生成する（Ｓ１００５）。一方、許可しない場合は（Ｓ１００４；ＮＯ）、手動表示を指示する内容の制御情報を生成する（Ｓ１００６）。
【００７４】
制御情報生成装置９１４は、放送管理装置９０３の送出指示に従って、生成した制御情報を送出し、制御情報は多重化装置２１１にて多重化された後、放送波信号として送出される（Ｓ１００７）。制御情報生成装置９１４は、ＣＭの終了時刻に基づいてＣＭの放映が終了するか否かを判定し（Ｓ１００８）、ＣＭが終了する場合は（Ｓ１００８；ＹＥＳ）、制御情報の送出を終了し、ＣＭが終了していない場合は（Ｓ１００８；ＮＯ）、制御情報を定期的に送出し続ける。ＣＭが複数ある場合は、全てのＣＭについて、ＳＴＥＰ１００３〜ＳＴＥＰ１００８の制御情報の生成及び送出処理を実行する。
【００７５】
次に、視聴者側の受信装置２の処理について説明する。受信装置２のチューナ５０２は、例えば、リモートコントローラ４０４を介して視聴者からチャンネルの選択を受け付けると（Ｓ１００９；ＹＥＳ）、選択されたチャンネルの放送波信号（トランスポンダ）を選択して受信する（Ｓ１０１０）。選択受信された放送波信号は、多重化ストリームに復調された後、個別ストリームに分離される（Ｓ１０１０）。
【００７６】
ＭＥＰＧ−ＡＶデコーダ５０５は、分離された映像音声ストリームをＭＰＥＧ２ビデオおよびＭＰＥＧ２オーディオに従って複号する（Ｓ１０１１）。なお、ここでは、復号して得られた映像信号が、ＣＭである場合について説明する。
【００７７】
また、コントローラ５０１は、分離されたデータ放送ストリームを復号する（Ｓ１０１２）。次に、コントローラ５０１は、復号して得られたデータが、自動手動対応型コンテンツであるのか制御情報であるのかを判断し（図１１：Ｓ１１１０）、制御情報である場合は（Ｓ１１１０；制御情報）、当該制御情報を受信して、所定の記憶領域に格納する（Ｓ１１１６）。
【００７８】
一方、コントローラ５０１は、復号して得られたデータが、自動手動対応型コンテンツである場合は（Ｓ１１１０；ＹＥＳ）、当該自動手動対応型コンテンツを受信する（Ｓ１１１１）。コントローラ５０１は、自動手動対応型コンテンツの受信が完了すると、自動手動対応型コンテンツを解釈実行する（Ｓ１１１２）。コントローラ５０１は、復号して得られた映像信号、すなわち、これから視聴者に提示する映像信号が本編放送番組であるかＣＭであるかを判断し（Ｓ１１１３）、本編であると判断した場合は（Ｓ１１１３；本編）、本編放送番組に付加情報（例えば、番組案内）を重畳表示するよう制御する（Ｓ１１１４）。なお、映像信号が本編放送番組かＣＭであるかの判断は、従来技術を用いて実現することができ、例えば、映像信号に、本編放送番組あるいはＣＭを示す識別情報が、あらかじめ関連づけて送られている場合は（図７の符号７０を参照）、この識別情報を参照することによって区別することができる。
【００７９】
コントローラ５０１は、復号して得られた映像信号、すなわち、これから視聴者に提示する映像信号がＣＭであると判断した場合は（Ｓ１１１３；ＣＭ）、制御情報が受信され格納されているか否かを判定し（Ｓ１１１５）、格納済みでないと判定した場合は（Ｓ１１１５；ＮＯ）、制御情報が受信され格納されるまで待機する。一方、制御情報が受信され格納されていると判定した場合は（Ｓ１１１５；ＹＥＳ）、制御情報が自動表示の指示内容か手動表示の指示内容かを判断する（Ｓ１１１７）。
【００８０】
コントローラ５０１は、制御情報が自動表示の指示内容であると判断した場合は（Ｓ１１１７；自動）、画面重畳制御部５０７を制御して、ＣＭに付加情報（番組案内）を重畳し、出力装置に出力する（Ｓ１１１８）。一方、制御情報が手動表示を指示する内容であると判断した場合（Ｓ１１１７；ＮＯ）、ＣＭをそのまま出力装置に出力するよう制御する（Ｓ１１１９）。そして、ＣＭの表示中に、視聴者がリモートコントローラ４０４の所定のボタン（例えば、データ連動機能が割り付けられているｄボタン）を押下することにより、付加情報の表示要求を入力した場合（Ｓ１１２０；ＹＥＳ）、画面重畳制御部５０７を制御して、ＣＭに付加情報（番組案内）を重畳し、出力装置に出力する（Ｓ１１２１）。なお、重畳表示された付加情報（番組案内）は、所定時間経過後、あるいは、視聴者がリモートコントローラ４０４の所定のボタン（例えば、データ連動機能が割り付けられているｄボタン）を押下することにより、付加情報の表示終了を入力した場合などに、ザッピング画面から削除される。
【００８１】
図７（Ｂ）は、第２実施形態に係るストリームの一例を説明する図である。データ放送ストリームには、自動表示及び手動表示の双方に対応可能な対応型コンテンツ（同図中の「対応型」に相当）と、自動表示及び手動表示の切り替えを制御するための制御情報（同図中「制御」に相当）が含まれる。同図（Ｂ）によれば、対応型コンテンツは定期的に送信され、制御情報はＣＭが放映されるタイミングに合わせて送出されていることがわかる。
【００８２】
図１２は、第２の実施形態においてザッピング画面に付加情報（番組案内）が重畳表示される場合の画面の一例を示す図である。同図では、ＸＸＸチャンネルの放送番組に対して視聴者が、ザッピング１あるいはザッピング２により１９２チャンネルを選択した場合に、１９２チャンネルではＣＭ１あるいはＣＭ２が放送されている状態を示している。ザッピング１の場合、ＣＭ１は重畳表示が許可されているのでザッピング画面には番組案内７０３が重畳表示されている。一方、ザッピング２の場合、ＣＭ２は重畳表示が許可されていないので、ザッピング画面はＣＭの画像のみであり、視聴者が付加情報の指示を入力した場合に、番組案内７０３が重畳表示される。
【００８３】
以上、第２の実施形態によれば、第１の実施形態と同様に、本編放送番組に対しては付加情報を自動的に重畳表示する一方、ＣＭに対しては、ＣＭ毎に設定された重畳画像許可情報に基づいて、当該ＣＭに対する付加情報の自動的重畳表示を制御するようにしているので、ザッピング時の放送内容に応じて、ザッピング時の放送内容に対する付加情報の重畳表示を適切に制御することができるようになる。
【００８４】
また、自動表示及び手動表示の双方に対応可能なコンテンツを定期的に送信する一方で、自動表示と手動表示の切り替えを制御する制御情報を、ＣＭの放送タイミングに合わせて送信しているので、ＣＭの放送時間が予め確定していないような状態であっても、ＣＭに対する付加情報の重畳表示を適切に制御することができる。
【００８５】
［第２の実施形態の変形］
なお、上記第２の実施形態では、図１０及び図１１に示す重畳表示処理において、制御情報生成装置９１４が、ＣＭ放送に合わせて制御情報を送信する場合について説明したが、制御情報の送信形態は、これに限られない。例えば、本編放送番組の放送時には、自動表示を指示する内容の制御情報を定期的に送信し、ＣＭ放送時には、重畳許可情報に基づいて制御情報の内容（自動／手動）を切り替えるよう構成してもよい。以下、図１０及び図１１を用いて、第２の実施形態の変形例について説明する。
【００８６】
最初に、図１０を用いて、変形例における送信装置の動作について説明する。図１０では、制御情報生成装置９１４は、放送管理装置９０３からＣＭ放送情報を受け付けた場合に（Ｓ１００２；ＹＥＳ）、制御情報を生成して送出している（Ｓ１００３〜Ｓ１００８）。しかし、変形例では、放送管理装置９０３からＣＭ放送情報を受け付けていない場合は（Ｓ１００２；ＮＯ）、本編放送番組の放送中という意味であるから、自動表示を指示する内容の制御情報を生成し（Ｓ１００５）、一方、放送管理装置９０３からＣＭ放送情報を受け付けた場合は（Ｓ１００２；ＹＥＳ）、上述のとおり、重畳許可情報に基づいて自動表示／手動表示を指示する内容の制御情報を生成する（Ｓ１００３〜Ｓ１００６）ように構成する。Ｓ１００７〜Ｓ１０１２の処理については既に上述しているので、ここでは説明を省略する。
【００８７】
次に、図１１を用いて、変形例における受信装置２の動作について説明する。コントローラ５０１は、復号して得られたデータを、それぞれ受信し（Ｓ１１１０、Ｓ１１１１、Ｓ１１１６）、自動手動対応型コンテンツについては、これを解釈実行する（Ｓ１１１２）。図１１では、Ｓ１１１２に続けて、映像信号が本編放送番組であるかＣＭであるかの判断処理（ステップ１１１３）を実行しているが、変形例では、この判断処理及びこれに関連する処理（ステップ１１１３、ＳＴＥＰ１１１４）は行わない。変形例では、コントローラ５０１は、コンテンツを実行すると（Ｓ１１１２）、制御情報の有無を判断し（Ｓ１１１５）、制御情報が格納されている場合は（Ｓ１１１５；ＹＥＳ）、制御情報の内容が自動表示の指示内容か手動表示の指示内容かを判断して（Ｓ１１１７）、判断結果に応じた処理（Ｓ１１１７〜Ｓ１１２１）を実行するように構成する。なお、変形例では、Ｓ１１１８に示す「ＣＭ」は、「本編放送番組またはＣＭ」と読み替える。
【００８８】
上記変形例では、本編放送番組の場合は、自動表示を指示する内容の制御情報が送信されるので、受信装置３は、制御情報の内容に基づいて付加情報の重畳表示処理を実行すればよく、映像信号の内容を判断する処理（図１１中のＳ１１１３）を実行する必要がない。
【００８９】
［第３の実施形態］
以下、第３の実施形態では、重畳表示の表示形態（自動／手動）を視聴者が設定する場合に適切な付加情報の重畳表示処理について説明する。すなわち、第３の実施形態では、重畳表示の表示形態（自動／手動）を、予め視聴者が設定して所定の記憶領域に格納しておき、ザッピングがあった場合、受信装置は、この視聴者の設定内容を参照して、重畳表示の自動／手動を決定する。
【００９０】
例えば、送信装置１は、受信装置２にて重畳表示の表示形態の設定処理を実行する機能を実現するためのコンテンツ（以下、「表示形態設定コンテンツ」という。）を、定期的に送信する。受信装置２は、表示形態設定コンテンツを受信すると、これを解釈実行し、所定のメニューを画面に表示することにより、付加情報の自動表示又は手動表示の選択を視聴者に促す。視聴者が、例えばリモコン４０４の所定のボタンを押下することにより、「自動表示」あるいは「手動表示」を選択すると、受信装置２は、選択された表示形態（自動／手動）を示す表示形態情報を所定の記憶領域に格納する。例えば、受信装置２は、受信装置２内の不揮発メモリ５０１４の所定領域に格納してもよいし、サーバ３が保有する所定の記憶装置に格納してもよい。なお、サーバ３の記憶装置に格納する場合は、表示形態情報を、受信装置２を識別するための識別情報（例えば、ＩＣカードＩ／Ｆ５０９に装着されるＩＣカードの固有番号など）と対応付けて格納する。
【００９１】
一方、送信装置１は、第２の実施形態において説明したのと同様に、自動表示及び手動表示の双方に対応可能な双方対応型コンテンツを定期的に受信装置２へ送信する。受信装置２は、視聴者のチャンネル選択により、映像音声データ（本編放送番組あるいはＣＭ）と双方対応型コンテンツをそれぞれ受信すると、双方対応型コンテンツを解釈実行する。そして、表示形態情報が受信装置２内の不揮発メモリ５０１４に格納されている場合は、当該不揮発メモリ５０１４の所定領域から表示形態情報を取得し、取得した表示形態情報が自動表示を指示する内容である場合は、映像音声データに付加情報を自動表示する。一方、取得した表示形態情報が手動表示を指示する内容である場合は、映像音声データに付加情報を手動表示する。また、表示形態情報がサーバ３に格納されている場合は、ＩＣカードの固有番号を含む表示形態情報取得要求をサーバ３に送信し、サーバ３は、固有番号に対応する表示形態情報をその記憶装置から読み出して受信装置３へ送り返す。受信装置３は、受信した表示形態情報に基づいて、自動／手動表示を決定する。
【００９２】
なお、視聴者による表示形態情報の設定は、チャンネルの種類、放送時間帯、映像音声データの内容（本篇放送番組であるかＣＭであるか）などに応じて、異なる表示形態が選択されるように設定するようにこともできる。また、上記説明では、表示形態設定コンテンツと双方対応型コンテンツとを別々のコンテンツとして説明したが、両者を１つのコンテンツとして送信するようにしてもよい。
【００９３】
以上、第３の実施形態によれば、重畳表示の表示形態（自動／手動）を、視聴者が任意に設定することができるようになるので、視聴者の趣向に合わせた表示形態で、重畳表示を実現することが可能になる。
【００９４】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【００９５】
［その他の実施形態］
上記各実施形態は、本発明を説明するための例示であり、本発明をこれらの実施形態にのみ限定する趣旨ではない。本発明は、その要旨を逸脱しない限り、さまざまな形態で実施することができる。上記実施形態では、装置、機能実現手段等の動作をシーケンシャルに説明したが、特にこれにこだわるものではない。動作に矛盾が生じない限り、処理の順序を入れ替えまたは並行動作するように構成しても良い。
【００９６】
例えば、上記実施形態では、ＣＭに画像重畳許可情報を設定する場合について説明したが、本編放送番組について、番組毎に画像重畳許可情報を設定することも可能である。例えば、本編放送番組の内容によっては、付加情報の自動表示が適切でない場合は、手動表示となるように設定することができる。
【符号の説明】
【００９７】
１     送信装置
１ａ   送信機
１ｂ   放送衛星
２     受信装置
３     サーバ
１００デジタル放送システム
２０１ 映像音声管理装置
２０２ データ放送管理装置
２０３ 放送管理装置
２０４ 映像音声データエンコーダ
２０５ データ放送データエンコーダ
２０６ 映像音声データ格納装置
２０７ 番組情報格納装置
２０８ データ放送コンテンツ格納装置
２０９ 情報格納装置
２１０ 制御情報送出装置
２１１ 多重化装置
２１２ デジタル変調装置
２１３ 送信装置
３０３ 出力装置
４０１ アンテナ
４０２ セットトップボックス
４０３ 出力装置
４０４ リモートコントローラ
５０１ コントローラ
５０２ チューナ
５０３ デジタル復調部
５０４ ＴＳデコーダ
５０５ ＭＰＥＧ−ＡＶデコーダ
５０６ サウンド制御部
５０７ 画面重畳制御部
５０８ 外部記録装置Ｉ／Ｆ
５０９ カードＩ／Ｆ
【図１】
0005401216.tif 000002
【図２】
0005401216.tif 000003
【図３Ａ】
0005401216.tif 000004
【図３Ｂ】
0005401216.tif 000005
【図４】
0005401216.tif 000006
【図５】
0005401216.tif 000007
【図６】
0005401216.tif 000008
【図７Ａ】
0005401216.tif 000009
【図７Ｂ】
0005401216.tif 000010
【図８】
0005401216.tif 000011
【図９】
0005401216.tif 000012
【図１０】
0005401216.tif 000013
【図１１】
0005401216.tif 000014
【図１２】
0005401216.tif 000015